(57)【特許請求の範囲】
【請求項１】
光源を有する器具本体と、端面が前記光源に臨み表面が発光するものであって前記端面の一端部で片吊り可能に前記器具本体に取付けられた導光式のパネルとを備え、
前記パネルは前記端面側にパネル取付具を有し、前記器具本体側に前記パネル取付具を受ける受け具を有し、
前記パネル取付具は前記受け具の下面に押し当てる切込部を有するとともに、前記切込部を前記受け具の下面に押し当てながら横方向へスライドすることにより前記受け具に引っ掛けられる引掛部を突出し、前記引掛部はその先端より下方に突出する突出部を有しかつ前記先端の上端角にテーパを形成しており、
前記受け具は前記パネル取付具の前記切込部が前記受け具の下面に押し当てられ前記横方向にスライドすることにより前記引掛部の前記先端が進入するスリットを前記受け具の側面に有するとともに、前記突出部が係止して前記パネル取付具の引っ掛け状態となす係止孔を前記受け具の底部に有し、さらに前記パネル取付具を前記横方向にスライドするとき前記引掛部の前記テーパが当たって前記パネル取付具を若干下降させながら前記スリット内に進入させる段部を前記スリットの上部に有する照明器具。
【請求項２】
前記光源は片口金ランプであり、ランプソケットを前記パネルの前記一端部側に設けた請求項１記載の照明器具。
【発明の詳細な説明】
【０００１】
【発明の属する技術分野】
この発明は、導光板を面光源として避難方向を示すピクトグラムが描かれた表示面を有する高輝度の誘導灯器具などの照明器具に関するものである。
【０００２】
【従来の技術】
従来例を図１４に示す。１００は天井埋込穴、１０１は器具本体、１０２は蓄電池、１０３は反射板、１０４は安定器、１０５は直管形ランプ、１０６は表示板、１０７はカバー、１０８は反射板兼パネル取付具、１０９はその受け部、１１０は取付ばね、１１１はばね受け、１１２はランプソケット、１１３は点検スイッチ、１１４は端子台、１１５は吊りボルト、１１６は電源線である。
【０００３】
器具本体１０１に蓄電池１０２、安定器１０４、ランプソケット１１２、点検スイッチ１１３および端子台１１４を取付け、器具本体１０１を埋込穴１００に挿入して吊りボルト１１５に吊り、反射板１０３を取付け、ランプ１０５をランプソケット１１２に装着し、表示板１０６にローレットにより取付けたパネル取付具１０８を受け部１０９に引掛け、カバー１０７を表示板１０６に通しばね１１０によりばね受け１１１に引っ掛けて取付ける。ランプ１０５が点灯すると、ランプ１０５に接近した表示板１０６の端面より光が入射し、表示板１０６の表面より発光し、避難方向が明るく表示される。
【０００４】
【発明が解決しようとする課題】
しかし、この導光板式誘導灯はカバー１０７および表示板１０６を器具本体１０１より完全に取り外してから、ランプ交換および蓄電池交換を行っているため、非常に作業性（作業時間、作業人数）が悪く、高所作業故の安全性も十分に確保されていなかった。
【０００５】
したがって、この発明の目的は、表示板を器具本体より完全に外すことなく、ランプ交換および蓄電池交換ができるようにして、作業性の向上と安全性の確保を図った照明器具を提供することである。
【０００６】
【課題を解決するための手段】
請求項１記載の照明器具は、光源を有する器具本体と、端面が前記光源に臨み表面が発光するものであって前記端面の一端部で片吊り可能に前記器具本体に取付けられた導光式のパネルとを備え、
前記パネルは前記端面側にパネル取付具を有し、前記器具本体側に前記パネル取付具を受ける受け具を有し、
前記パネル取付具は前記受け具の下面に押し当てる切込部を有するとともに、前記切込部を前記受け具の下面に押し当てながら横方向へスライドすることにより前記受け具に引っ掛けられる引掛部を突出し、前記引掛部はその先端より下方に突出する突出部を有しかつ前記先端の上端角にテーパを形成しており、
前記受け具は前記パネル取付具の前記切込部が前記受け具の下面に押し当てられ前記横方向にスライドすることにより前記引掛部の前記先端が進入するスリットを前記受け具の側面に有するとともに、前記突出部が係止して前記パネル取付具の引っ掛け状態となす係止孔を前記受け具の底部に有し、さらに前記パネル取付具を前記横方向にスライドするとき前記引掛部の前記テーパが当たって前記パネル取付具を若干下降させながら前記スリット内に進入させる段部を前記スリットの上部に有するものである。
【０００７】
請求項１記載の照明器具によれば、パネルが光源に対して片吊り状態に開くことができるので、パネルを器具本体に吊持したままランプ交換が可能となり、作業性が向上し、かつ作業の安全性が向上できる。
また、パネル取付具は受け具に対して上方へ押し当てながら横方向へスライドして引っ掛ける引掛部を有し、前記引掛部の引掛前の位置で前記パネル取付具を若干下降させる段部を受け具に設けたため、パネル取付具の取付時に段部に当たる感触が得られるので、施工時の意識付けを向上することができ、正確な施工が可能となる。
【０００８】
請求項２記載の照明器具は、請求項１において、前記光源が片口金ランプであり、ランプソケットを前記パネルの一端部側に設けたものである。
【０００９】
請求項２記載の照明器具によれば、請求項１と同様な効果のほか、ランプ交換が容易になる。
【００１２】
【発明の実施の形態】
この発明の一実施の形態を図１から図１３により説明する。すなわち、この高輝度用誘導灯４０形の照明器具は、消防法施工規則第２８条の３および消防予２４５号（平成１１年９月２１日）に基づくＡ級〜Ｃ級の区別によるＡ級のものであり、大型で数Ｋｇの重量をもっている。
【００１３】
この誘導灯器具は、器具本体１と、導光板式の表示板であるパネル２とを有し、パネル２を一端部で片吊り可能かつ着脱自在に器具本体１に取付けられている。
【００１４】
器具本体１は光源３を有し、これは片口金ランプを実施の形態とし、器具本体１の一端部に回動可能に設けたランプソケット４に装着している。器具本体１は角箱形で開口縁につば１ａを有し、天井の埋込穴５に挿入されつば１ａが埋込穴５の縁部に係止した状態に吊りボルト６に器具本体１が取付けられる。器具本体１には、安定器（点灯制御装置）７、停電バックアップ用蓄電池８、充放電制御装置ブロック９、点検スイッチ１０、端子台１３およびグロー灯具１４等の点灯部品が設けられ、さらにばね受け１１および受け具１２が設けられる。
【００１５】
パネル２は、端面が光源３に臨み、表面が発光する導光式のパネルであり、表面には避難方向を示すピクトグラムが描かれた表示面が形成されている。実施の形態では、パネル２は器具本体１に端面が光源に臨む閉じた状態と、一端部を支点にして他端部が光源３から所定量離れる片吊り状態とに回動可能に取付けている。この場合、パネル２が端面側にパネル取付具１５を設け、器具本体１側の受け具１２でパネル取付具１５を受ける。
【００１６】
パネル取付具１５は器具本体１の受け具１２に対して上方へ押し当てながら横方向へスライドして引っ掛ける引掛部１６を有し、引掛部１６の引掛前の位置でパネル取付具１５を若干下降させる段部１７（図３）を設けている。この場合、パネル取付具１５が金具製であり、図１０に示すように略Ｚ字形であってその両端片２０ａ、２０ｂの幅が異なる一対の取付片２０を図１０（ｃ）のように相対向し、短片２０ｂ間の両端に横Ｕ字形の連結片２１を介在して例えば溶接により連結し、長片２０ａ間の一端に略コ字形の連結片２２を介在し例えば溶接により連結している。各長片２０ａの両端に引掛部１６を形成するための切込部２３、２４を形成し、一端の切込部２４に軸受け部２５を形成するための逆Ｔ字形のスリット２６を形成している。引掛部１６はそれぞれ軸受け部２５に向くように形成され、先端部は切込部２３、２４の底面側に突出部１６ａを形成し、これと反対の外側にテーパ１６ｂを形成している。スリット２６は軸挿入部２６ａと横長部２６ｂで逆Ｔ字形に形成し、横長部２６ｂの一方を軸受け部２５としている。また軸２８（図４、図７（ａ）参照）に挿入しやすくするため軸挿入部２６ａの入り口に一対のテーパ２９を互いに外広がりとなるように形成し、横長部２６ｂで軸挿入部２６ａの両側にそれぞれ抜止め部３０を突設している。３１はパネル２の取付孔、３２は連結片２２に形成された取付孔である。
【００１７】
パネル取付具１５の短片２０ｂ間の連結片２１間にパネル２の上端部が挿入され、パネル２の上端部に形成した孔に取付孔３１を整合し、取付具例えばねじ４０によりパネル取付具１５をパネル２に取付ける。
【００１８】
パネル取付具１５を受ける受け具１２は、図４、図１１および図１２に示すように、長手方向がパネル取付具１５の両端部付近でこれに交差して器具本体１に取付けられ、側部に引掛部１６を引っ掛けるためのスリット３５を形成し、底部に突出部１６ａが係止するための係止孔３６が形成され、また軸受け部２５を軸支する軸２８を受け具１２の一方の下部に取付けている。実施の形態では、各受け具１２が図１２に示すように断面Ｕ字形であり、長手方向の両端に底部から立片４２を両側片側に折曲し、立片４２に取付孔４３を形成し、また長手方向寸法は器具本体１の内幅にほぼ等しく、その一対が図６に示すように器具本体１の両端部付近に配置され、取付孔４３でねじ等の取付具により固定されている。各受け具１２はその一側片の長手方向のスリット３５の位置の端部に外向き延出片５２を折曲し、器具本体１に形成したスリットに挿通して位置決めしている（図８参照）。また底部の各係止孔３６の近傍に幅方向に延びた一対のスリット４５をそれぞれ長手方向に並べて形成し、スリット４５の間に取付孔４６を形成している。軸支持具４８は図１３に示すように一対のスリット４５に挿通可能な幅をもった逆Ｕ字形であり、ランプソケット４７に近い側の受け具１２の内側から軸支持具４８の両側片４８ａ、４８ｂがスリット４５に挿通され、中間片の取付孔４６に整合する位置に固定孔４９を形成し、固定孔４９および取付孔４６を通してねじ等の取付具により固定される。両側片４８ａ、４８ｂの先端には相対向位置の一方に貫通孔５０を形成し、他方にカウンタシンクを設けねじ孔５１を形成し、貫通孔５０を通してねじの付いた軸２８が挿通されねじ孔５１に螺合されて固定される。５３はパネル取付具１５を固定するためのカウンタシンクで形成したねじ孔、５４はランプ支持部取付孔で、図６に示すようにランプ支持部５５が取付具により取付けられる。５８はパネル取付具１５の取付孔３２がねじ孔５３に整合した状態で螺着するつまみねじである。
【００１９】
枠５６は器具本体１の下端開口部に被さるもので、パネル２を挿通するスリット５６ａを中心部に有し、上面にばね受け１１に係止する取付ばね５７を設けている。図１において、７０は点検スイッチ用穴である。
【００２０】
この誘導灯器具の施工手順について説明する。器具本体１に安定器７、端子台１３、蓄電池８、点検スイッチ１０、ランプソケット４、受け具１２等の必要な部品を取付け、埋込穴５から引き出した電源線６０を端子台１３に接続し、器具本体１を埋込穴５に挿入し、吊りボルト６に取付ける。ランプソケット４に光源３を装着する。図２に示すように逆Ｔ字形のスリット２６を軸２８に挿入して切込部２３、２４を受け具１２の底面に当接し、矢印の方向にスライドして引掛部１６を図３に示すようにスリット３５に挿入し、突出部１６ａを係止孔３６に係止する。このとき、引掛部１６の引掛前の位置でパネル取付具１５を若干下降させる段部１７（図３）を、切込部２３、２４が受け具１２に当接した状態でスリット３５の上縁３５ａの高さが引掛部１６の上縁の高さよりも若干例えば０．８ｍｍ低くくすることにより構成し、引掛部１６のテーパ１６ｂにスリット３５の上縁３５ａが当接する関係にする。これにより引掛部１６がスリット３５に挿入される時が感触によりわかる。そして立片２２に形成した孔３２に取付具例えばつまみねじ５８を通し孔３２に整合するねじ孔５３に螺合して固定する。この状態でパネル取付具１５の長片２０ａ間に光源３が位置する。つぎに図５に示すように枠５６をパネル２に通しばね５７をばね受け１１に係止する。なお、引掛部１６のテーパ１６ｂはなくてもスリット３５の上縁３５ａへの当たりが感触できればよい。
【００２１】
ランプ交換または蓄電池交換する場合は、枠５６を外し、つまみねじ５８をねじ孔５３から外し、パネル取付具１５を持ち上げて引掛部１６の突出部１６ｂを係止孔３６から浮かし、引掛部１６がスリット３５から抜ける方向にスライドすることにより、軸２８が抜止め部３０に抜止めされた状態で引掛部１６がスリット３５から外れ、これにより軸２８に軸受け部２５が支持されてパネル取付具１５が回動することができる。回動量が大きくなりパネル取付具１５が垂直姿勢に近づくにつれ軸２８が抜け止め部３０から滑りスリット２６の軸受け部２５と反対側の横長部２６ｂに係止し、これにより図９に示すようにパネル２は片吊り状態となり、光源３の前面が開口するのでランプソケット４を回動させてランプ交換したり、また蓄電池交換が可能となる。
【００２２】
なお、誘導灯は実施の形態に限らず、他のクラスの誘導灯でもよい。
【００２３】
【発明の効果】
請求項１記載の照明器具によれば、パネルが光源に対して片吊り状態に開くことができるので、パネルを器具本体に吊持したままランプ交換が可能となり、作業性が向上し、かつ作業の安全性が向上できる。またパネル取付具の取付時に段部に当たる感触が得られるので、施工時の意識付けを向上することができ、正確な施工が可能となる。
【００２４】
請求項２記載の照明器具によれば、請求項１と同様な効果のほか、ランプ交換が容易になる。
【図面の簡単な説明】
【図１】この発明の第１の実施の形態の分解斜視図である。
【図２】パネルの取付け手順を示す部分図である。
【図３】パネル取付具のスライドを説明する部分図である。
【図４】パネル取付具の取付けられた状態の正面図である。
【図５】枠の取付け途中の状態を示す正面図である。
【図６】パネルの取り付けられた状態の正面図である。
【図７】その側面図である。
【図８】図６の平面図である。
【図９】パネルを傾斜した状態の正面図である。
【図１０】パネル取付具を示し、（ａ）は正面図、（ｂ）は平面図、（ｃ）は側面図である。
【図１１】固定具を示し、（ａ）は平面図、（ｂ）は背面図である。
【図１２】（ａ）は固定具の正面図、（ｂ）は側面図である。
【図１３】軸支持具を示し、（ａ）は正面図、（ｂ）は右側面図、（ｃ）は左側面図、（ｄ）は平面図、（ｅ）は底面図である。
【図１４】従来例の分解斜視図である。
【符号の説明】
１    器具本体
２    パネル
３    光源
４    ランプソケット
５    埋込穴
８    蓄電池
１２    受け具
１５    パネル取付具
１６    引掛部
１７    段部
２８    軸
【図１】
0003959958.tif 000002
【図２】
0003959958.tif 000003
【図３】
0003959958.tif 000004
【図４】
0003959958.tif 000005
【図５】
0003959958.tif 000006
【図６】
0003959958.tif 000007
【図７】
0003959958.tif 000008
【図８】
0003959958.tif 000009
【図９】
0003959958.tif 000010
【図１０】
0003959958.tif 000011
【図１１】
0003959958.tif 000012
【図１２】
0003959958.tif 000013
【図１３】
0003959958.tif 000014
【図１４】
0003959958.tif 000015